(57)【要約】【課題】  シリンダ錠を小型化することができる複合ディスクタンブラー錠を提供する。【解決手段】  ディスクタンブラーとレバータンブラーとを複合した複合ディスクタンブラー錠において、選択された少なくとも１個のスロット８からディスクタンブラーを抜取り、その代わりに抜取られたディスクタンブラーと同様の構成のアイドルディスクタンブラー２１を収納し、このアイドルディスクタンブラーは２１、その係合突起が合鍵の対応する側端縁に形成されたアイドル窪みと係合したとき、その解錠切欠１３がロッキングバー６の内側縁と整合するものとし、このアイドル窪みの深さを、ゼロを含み、抜取られたディスクタンブラーにおいて設定された窪みの深さの何れとも異なるように設定する。【選択図】  図３
2008291589.tif 000002
【特許請求の範囲】
【請求項１】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにしたものにおいて、選択された少なくとも１個のスロットからディスクタンブラーを抜取り、その代わりに抜取られたディスクタンブラーと同様の構成のアイドルディスクタンブラーを収納し、このアイドルディスクタンブラーは、その係合突起が合鍵の対応する側端縁に形成されたアイドル窪みと係合したとき、その解錠切欠がロッキングバーの内側縁と整合するものとし、このアイドル窪みの深さを、ゼロを含み、抜取られたディスクタンブラーにおいて設定された窪みの深さの何れとも異なるようにしたことを特徴とする複合ディスクタンブラー錠。
【請求項２】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成し、ディスクタンブラー群の鍵挿通孔の開口端縁が、鍵孔に挿通された合鍵の側端縁に形成されたＶ字形の鍵溝と係合したとき、各ディスクタンブラーの解錠切欠がロッキングバーの内側縁と整合するようにしたものにおいて、選択された少なくとも１個のスロットからディスクタンブラーを抜取り、その代わりに抜取られたディスクタンブラーと同様の構成のアイドルディスクタンブラーを収納し、このアイドルディスクタンブラーは、その鍵挿通孔の開口端縁が合鍵の対応する側端縁に形成されたＶ字形のアイドル鍵溝と係合したとき、その解錠切欠がロッキングバーの内側縁と整合するものとし、このアイドル鍵溝の深さを、ゼロを含み、抜取られたディスクタンブラーにおいて設定された鍵溝の深さの何れとも異なるようにしたことを特徴とする複合ディスクタンブラー錠。
【発明の詳細な説明】
【技術分野】
【０００１】
この発明は、所謂ディスクタンブラー錠とレバータンブラー錠を複合した新規な複合ディスクタンブラー錠に係り、特に、シリンダ錠を小型化することができる複合ディスクタンブラー錠に関する。
【背景技術】
【０００２】
本出願人は、先に、後記特許文献１の請求項１を以て、新規な複合ディスクタンブラー錠を提案した。
【０００３】
この複合ディスクタンブラー錠は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにしたことを特徴とするものである。
【０００４】
また、本出願人は、特許文献１の請求項３を以て、別の新規な複合ディスクタンブラー錠を提案した。
【０００５】
この複合ディスクタンブラー錠は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成し、ディスクタンブラー群の鍵挿通孔の開口端縁が、鍵孔に挿通された合鍵の側端縁に形成されたＶ字形の鍵溝と係合したとき、各ディスクタンブラーの解錠切欠がロッキングバーの内側縁と整合するようにしたことを特徴とするものである。
【０００６】
更にまた、本出願人は、下記特許文献２を以て、特許文献１に記載の発明による複合ディスクタンブラー錠の錠止力を更に高めた複合ディスクタンブラー錠を提案した。
【０００７】
この特許文献２に記載された発明については後に触れることにし、ここでは更に詳細な説明は省略する。
【特許文献１】特願２００７−１２１４８３
【特許文献２】特願２００７−１３７１４６
【発明の開示】
【発明が解決しようとする課題】
【０００８】
上記した特許文献１及び２に記載の複合ディスクタンブラー錠は、何れも充分にその機能を発揮し、実用のための準備が進められていて技術的には問題が無い。
【０００９】
ところで、上記複合ディスクタンブラー錠の他、従来の例えばピンタンブラー錠、レバータンブラー錠、或いはディスクタンブラー錠等の所謂シリンダ錠は、一の鍵違いを基礎にして、選択された少なくとも１個のタンブラーを内筒のスロットから抜取り、その空になったスロットに対応する合鍵の鍵溝或いは鍵の窪みを形成しないことにより鍵違いを増やし、或いはシリンダ錠の機能を増大させることが従来から行われている。
【００１０】
しかしながら、このようにすると、内筒におけるタンブラーの数が減ってしまうので、内筒を無理に回そうとする力に対抗する力、或いはトルクである錠止力が減少してしまう、という不都合が生じる。
【００１１】
そこで、この発明は、タンブラーを減少させなくてもタンブラーを抜取ったと同じ効果を奏する複合ディスクタンブラー錠を提供し、以て上記した不都合を解消することを目的としている。
【課題を解決するための手段】
【００１２】
上記の目的を達成するため、請求項１に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにしたものにおいて、選択された少なくとも１個のスロットからディスクタンブラーを抜取り、その代わりに抜取られたディスクタンブラーと同様の構成のアイドルディスクタンブラーを収納し、このアイドルディスクタンブラーは、その係合突起が合鍵の対応する側端縁に形成されたアイドル窪みと係合したとき、その解錠切欠がロッキングバーの内側縁と整合するものとし、このアイドル窪みの深さを、ゼロを含み、抜取られたディスクタンブラーにおいて設定された窪みの深さの何れとも異なるようにしたことを特徴とする。
【００１３】
また、請求項２に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成し、ディスクタンブラー群の鍵挿通孔の開口端縁が、鍵孔に挿通された合鍵の側端縁に形成されたＶ字形の鍵溝と係合したとき、各ディスクタンブラーの解錠切欠がロッキングバーの内側縁と整合するようにしたものにおいて、選択された少なくとも１個のスロットからディスクタンブラーを抜取り、選択された少なくとも１個のスロットからディスクタンブラーを抜取り、その代わりに抜取られたディスクタンブラーと同様の構成のアイドルディスクタンブラーを収納し、このアイドルディスクタンブラーは、その鍵挿通孔の開口端縁が合鍵の対応する側端縁に形成されたＶ字形のアイドル鍵溝と係合したとき、その解錠切欠がロッキングバーの内側縁と整合するものとし、このアイドル鍵溝の深さを、ゼロを含み、抜取られたディスクタンブラーにおいて設定された鍵溝の深さの何れとも異なるようにしたことを特徴とする。
【発明の効果】
【００１４】
上記のように構成された請求項１及び２に記載の発明による複合ディスクタンブラー錠は、タンブラーの動きはディスクタンブラー錠のそれと同じであり、また、施解錠のメカニズムはレバータンブラー錠のそれと同じである。
【００１５】
したがって、本出願人が先に出願し、前記特許文献１に記載の複合ディスクタンブラー錠と同様に、施錠状態の複合ディスクタンブラー錠の鍵孔に鋼鉄の板を差込み、内筒を無理に回そうとする力は、ロッキングバーを介してこれと直交する少なくとも１枚のディスクタンブラーの側端縁を幅方向に押圧するように作用する。
【００１６】
そして、複合ディスクタンブラー錠の錠止力はロッキングバーに印加されるディスクタンブラーからの反力であり、主にディスクタンブラーの横断面形状を円弧状に変形させる、換言すれば幅方向に座屈させようとする力に対する反力であるところ、この場合の座屈荷重はディスクタンブラーの幅の自乗に反比例するから、ディスクタンブラーが薄くなり、また、幅寸法が小さくなったとしても、錠止力は増大することはあっても減少することはない。
【００１７】
加えて、一の鍵違いを基礎にして、選択された少なくとも１個のタンブラーを内筒のスロットから抜取り、その空になったスロットに対応する合鍵の鍵溝或いは鍵の窪みを形成しないことにより鍵違いを増やし、或いはシリンダ錠の機能を増大させても、抜取られたディスクタンブラーの代りにアイドルディスクタンブラーが補充されるので、錠止力が減少することはない、等種々の効果を奏する。
【発明を実施するための最良の形態】
【００１８】
ディスクタンブラー錠とレバータンブラーを複合した複合ディスクタンブラー錠において、一の鍵違いを基礎にして、選択された少なくとも１個のタンブラーを内筒のスロットから抜取り、その空になったスロットに対応する合鍵の鍵溝或いは鍵の窪みを形成しないことにより鍵違いを増やし、或いはシリンダ錠の機能を増大させても、抜取られたディスクタンブラーの代りにアイドルディスクタンブラーを補充するようにした。
【実施例１】
【００１９】
以下、この発明の一実施例を図面を参照して説明する。
図１において符号１は外筒を示し、この外筒１の内周面における所定の角度位置（図示の実施例では時計盤面に換算して６時の角度位置）に横断面が略Ｖ字形のカム溝２が形成されている。
【００２０】
この外筒１の内筒部には、中心軸線に沿って鍵孔４を開口させた内筒３が回動可能に嵌合されていて、通常のディスクタンブラー錠の内筒と同様に、この鍵孔に合鍵５（図２参照）を挿入して施解錠操作を行う。
【００２１】
また、内筒３の所定の角度位置における外周部に、図面を明瞭にするため付番しない、横断面が略凸字形のロッキングバー案内溝が形成されており、このロッキングバー案内溝中に、内筒の母線に沿って延在するロッキングバー６が内筒の半径方向に移動可能に案内されている。
【００２２】
そして、ロッキングバー６の両端に弾装された圧縮コイルばねとしてのロッキングバーばね７の弾力により、ロッキングバー６は外方に、換言すれば上記カム溝２に係入する方向、すなわち、図１で下方に付勢されている。
【００２３】
これらの構成は、前記したレバータンブラー錠のそれと同様であるから、更に詳細な説明は省略する。
【００２４】
一方、内筒３の軸線に沿って複数のスロット８、８が形成されており、各スロット８にディスクタンブラー９が内筒の半径方向に移動可能に収納されている。
【００２５】
このディスクタンブラー９の移動方向は、図１に示すように、上記ロッキングバー６の移動方向に垂直な方向、すなわち図１で左右方向である。
【００２６】
なお、前記ディスクタンブラー錠におけるディスクタンブラーの長さは内筒の直径とほぼ同じに設定されており、図１におけるディスクタンブラー９の長さはそれより短いのだが、この発明による複合ディスクタンブラー錠はディスクタンブラー錠の一種であるから、図１におけるものもディスクタンブラーと称することにする。
【００２７】
また、各ディスクタンブラー９の中央部には、鍵孔４を包囲できる大きさの鍵挿通孔１１が長手方向に沿って開口している。
【００２８】
そして、各ディスクタンブラー９は、タンブラーばね１２の弾力により、図示の実施例では長手方向の左方に付勢されている。
【００２９】
他方、ロッキングバー６の内側縁に対向するディスクタンブラーの側端縁の所定の位置に、ロッキングバーの内側縁が係入できる解錠切欠１３が形成されている。
【００３０】
また、ディスクタンブラーの鍵挿通孔の開口端縁、すなわち、鍵挿通孔１１の短い方の開口端縁にディスクタンブラーの付勢方向に突出する山形の係合突起１４が一体に突設されている。
【００３１】
また、図１において符号１６は鍵孔４と平行に延在するストッパー杆を、符号１７はディスクタンブラーに開口した長穴を示し、これらストッパー杆、長穴はディスクタンブラー９の行程を規制する。
【００３２】
ちなみに、上記ストッパー杆の位置をロッキングバー６の移動方向の延長と交差するようにすれば、ディスクタンブラーの剛性が増大する。
【００３３】
上記のように構成された、前記特許文献１に記載の発明による複合ディスクタンブラー錠は、その施解錠に用いる合鍵の側端縁の所定の箇所に、例えば擂鉢形の窪み１９（図２参照）が形成されており、図２に示すように合鍵５を鍵孔４に挿入したとき、各窪み１９が対応するディスクタンブラーの係合突起１４と整合する。
【００３４】
合鍵が鍵孔４に挿入されたときには、ディスクタンブラー群の係合突起１４の夫々が対応する窪み１５と係合し、解錠切欠１３がロッキングバー６の内側縁に整合する。
【００３５】
したがって、合鍵を介して内筒３を所定の方向に回せば、カム溝２とロッキングバーの外側縁との間に生じる楔作用により、ロッキングバー６がカム溝２から押し出され、内筒中心軸線方向に移動しようとする。
【００３６】
このときにはロッキングバー６の移動を妨げるものは無いから、ロッキングバー６は内筒中心軸線方向に更に移動し、結局ロッキングバー６が外筒内周面に乗り上がり、このようにして複合ディスクタンブラー錠は解錠される。
【００３７】
鍵孔４に差込まれた鍵が異鍵であるときには、図１に示すように少なくとも１枚のディスクタンブラー９の解錠切欠１３とロッキングバー６との位置がずれる。
【００３８】
この状態で内筒を回すと、ロッキングバー６はディスクタンブラー９と直交する位置関係でディスクタンブラー９の側端縁に押し付けられる。
【００３９】
そして、ロッキングバー６がディスクタンブラー９に呈する力はディスクタンブラーを座屈させる方向に働き、前記したように、座屈荷重はディスクタンブラーの幅方向の寸法の自乗に反比例するので、ディスクタンブラーの寸法が小さくなるほど座屈荷重が増大する、という自然法則を利用し、この発明による複合ディスクタンブラー錠は小型化しても錠止力を大きく保つことができる。
【００４０】
ところで、前記したように、シリンダ錠においては、一の鍵違いを基礎にして選択された少なくとも１個のタンブラーを内筒のスロットから抜取り、その空になったスロットに対応する合鍵の鍵溝或いは鍵の窪みを形成しないことにより鍵違いを増やし、或いはシリンダ錠の機能を増大させることが従来から行われている。
【００４１】
例えば、１０個のタンブラーを備え、各タンブラーの鍵溝の種類が３段階であるシリンダ錠の最大の鍵違い数は３の１０乗の約５９，０００である。
【００４２】
その５９，０００の鍵違いの一つを基礎にして、すなわち、１０個のタンブラーの鍵溝の深さを固定して、その内の例えば２個を任意に抜取ることにより、８枚のタンブラーを備えた多数のシリンダ錠が得られるので、各シリンダ錠を夫々相異なる集合住宅（マンション）に割り当てる。
【００４３】
この場合、１棟のマンションに１つの鍵違いでは各部屋が同じ錠前になってしまうから、この内の特定の３個のタンブラーのみを備えたシリンダ錠を玄関ホールの錠前として用いることにし、各住戸用には、マンション特定のために抜いた２個のタンブラーを欠き、玄関ホールのシリンダ錠の３個のタンブラーを共通に有し、残りの５個のタンブラーの内少なくとも１個を任意に、かつ他の抜取りと同じにならないように抜取った、換言すれば、自由になる５個のタンブラーの内多くとも４個を任意に選択したシリンダ錠を各住戸に割り当てる。
【００４４】
このようにすると、各住戸の合鍵は夫々相異なるものにすることができ、かつ、各住戸の合鍵で玄関ホールのシリンダ錠を共通に施解錠できる、所謂逆マスターキーシステムを構成することができる。
【００４５】
この発明は、上記のように内筒のスロット８からディスクタンブラー９を抜取ることによって複合ディスクタンブラー錠の錠止力が減少することを防止することを目的としており、そのために採った特徴的な構成は、図３に示すように、選択されたディスクタンブラーを抜取って空になったスロット８にアイドルディスクタンブラー２１を補充する。
【００４６】
このアイドルディスクタンブラー２１は、前記ディスクタンブラー９と同様の構成であるが、図３に示すように、係合突起１４（図１参照）を有しない。
【００４７】
また、図４に示すように、合鍵５のアイドルディスクタンブラー２１に対応する側端縁には窪みを形成しない。換言すれば、窪みの深さをゼロにする。
【００４８】
そして、図４に示すように、鍵孔４に合鍵５を挿入したとき、鍵挿通孔１１の短い方の開口端縁と合鍵の側端縁が係合し、ロッキングバー６と解錠切欠１３とが整合するように各部の寸法、形状を設定する。
【００４９】
すると、図４から明らかなように、アイドルディスクタンブラー２１は施解錠操作の邪魔にはならないし、一方、鍵孔４に合鍵が挿入されていない施錠時にはロッキングバー６と解錠切欠１３とがずれているので、アイドルディスクタンブラー２１は内筒を無理に回そうとする外力に対抗できる。つまり、錠止力の減少を防止できる。
【００５０】
なお、図３及び図４に示すアイドルディスクタンブラー２１の鍵挿通孔の開口端縁に係合突起１４（図１及び図２参照）が形成されていないが、これは、係合突起１４の突出量をゼロにしたものと考えることができ、ここでは、突出量ゼロのものも係合突起の概念に含めるものとする。
【００５１】
また、図３及び図４においてアイドルディスクタンブラー２１の付勢方向における端部に細長い扇形の係止突起１８が一体に突設され、これに対応して、外筒１に係止溝１９が開口している。
【００５２】
そして、施錠時には、図３に示すように、係止突起１８が係止溝１９と係合しており、解錠時には、図４に示すように、この係止突起１８が外筒１と内筒３との間のシアーラインより内側に引込むようになっている。
【００５３】
この係止突起１８と係止溝１９とは、前記特許文献２に記載の発明の特徴的な構成で、その発明の目的は複合ディスクタンブラー錠の錠止力を更に高めることであって、本願発明の要旨ではないので、更に詳細な説明は省略する。
【実施例２】
【００５４】
図示の実施例では合鍵の側端縁に形成された擂鉢形の窪みとディスクタンブラーの係合突起とを係合させるようにしたが、これは従来のディスクタンブラーと同様に、ディスクタンブラーの鍵挿通孔の開口端縁に係合突起を突設せずに直線状にしておき（図３及び図４参照）、これに対応して、合鍵の側端縁に略Ｖ字形の鍵溝を形成しても良い。
【００５５】
この実施例２に記載された複合ディスクタンブラー錠に係る発明は、特許請求の範囲の請求項２に記載されている。
【図面の簡単な説明】
【００５６】
【図１】複合ディスクタンブラー錠の要部拡大横断面図で、施錠状態を示す。
【図２】図１と同様の拡大横断面図で、解錠状態を示す。
【図３】この発明の一実施例による複合ディスクタンブラー錠の要部拡大横断面図で、施錠状態を示す。
【図４】この発明の一実施例による複合ディスクタンブラー錠の要部拡大横断面図で、解錠状態を示す。
【符号の説明】
【００５７】
１  外筒
２  カム溝
３  内筒
４  鍵孔
５  合鍵
６  ロッキングバー
７  ロッキングバーばね
８  スロット
９  ディスクタンブラー
１１  鍵挿通孔
１２  タンブラーばね
１３  解錠切欠
１４  係合突起
１６  ストッパー杆
１７  長穴
１８  係止突起
１９  窪み
２１  アイドルディスクタンブラー
２２  係止溝
【図１】
2008291589.tif 000003
【図２】
2008291589.tif 000004
【図３】
2008291589.tif 000005
【図４】
2008291589.tif 000006